(57)【要約】【課題】パーソナルコンピュータからスライド等のデータを入力して当該スライドを投影する画像投影処置において、既に投影した当該スライドの特定のスライドを再度投影して確認する場合に、操作者はパーソナルコンピュータのファイル等から当該スライドを探し出すのに時間を要した。【解決手段】画像投影装置により画像を投影中に、画像投影装置は遠隔操作手段からブックマーク指示を受信してブックマーク登録を行い、当該遠隔操作手段からの再表示指示により当該ブックマーク登録した画像を短時間で再表示可能とする画像投影装置。【選択図】図２
2008083861.tif 000002
【特許請求の範囲】
【請求項１】
原画像データを入力して画像データを出力する画像処理手段と、前記出力された画像データに基づいて入射光を画像光に変換する光変換素子と、前記画像光を投影して投影表示を行う結像光学系と、遠隔操作手段から指示情報を受信する受信手段と、前記指示情報に基づいて制御を行う制御手段と、前記原画像データの識別情報を記憶する第１記憶手段と、を備えた画像投影装置であって、
前記指示情報は、前記原画像データのブックマーク登録を行うためのブックマーク登録指示と、前記ブックマーク登録が行われた原画像データを再投影して投影表示を行うための再投影指示とを含み、
前記制御手段は、前記受信手段が前記ブックマーク登録指示を受信したことを契機として、前記画像処理手段から出力中の画像データに対応する原画像データの識別情報を前記原画像データに関連付けて前記第１記憶手段に記憶させ、前記受信手段が前記再投影指示を受信したことを契機として、前記記憶された識別情報に関連付けられた原画像データを前記画像処理手段に出力させる画像投影装置。
【請求項２】
ファイルデータを記憶する第２記憶手段と、前記ファイルデータを原画像データに変換する変換手段とを更に備え、
前記画像処理手段は、前記変換された原画像データを入力して画像データを出力し、前記制御手段は、前記受信手段が前記ブックマーク登録指示を受信したことを契機として、前記画像処理手段から出力中の画像データに対応する原画像データの識別情報を前記第２記憶手段から取得して前記第１記憶手段に記憶させることを特徴とする請求項１に記載の画像投影装置。
【請求項３】
外部情報端末と接続するためのインターフェースを更に備え、
前記画像処理手段は、前記インターフェースを介して原画像データを入力して画像データを出力し、前記制御手段は、前記受信手段が前記ブックマーク登録指示を受信したことを契機として、前記画像処理手段から出力中の画像データに対応する原画像データの識別情報を、前記インターフェースを介して取得して前記第１記憶手段に記憶させることを特徴とする請求項１に記載の画像投影装置。
【請求項４】
前記第１記憶手段は、前記識別情報を記憶する識別情報記憶部と前記識別情報に対応する原画像データを記憶する原画像データ記憶部とを有し、
前記制御手段は、前記受信手段が前記ブックマーク登録指示を受信したことを契機として、前記画像処理手段から出力中の画像データに対応する原画像データを前記原画像データ記憶部に記憶させることを特徴とする請求項１〜３のいずれか１項に記載の画像投影装置。
【請求項５】
前記画像処理手段は、映像信号を入力して映像データに変換する映像信号処理手段と、前記映像データを入力してフレームごとに記憶し、画像データとして出力するフレーム記憶手段とを有し、
前記制御手段は、前記受信手段が前記ブックマーク登録指示を受信したことを契機として、前記フレーム記憶手段から出力中の画像データに対応する映像データを前記フレーム記憶手段から読み出して、前記原画像データ記憶部に前記原画像データとして記憶させることを特徴とする請求項４に記載の画像投影装置。
【請求項６】
前記指示情報は、前記遠隔操作手段を識別するための識別ＩＤを含むことを特徴とする請求項１〜５のいずれか１項に記載の画像投影装置。
【請求項７】
前記制御手段は、前記識別情報と前記識別ＩＤとを関連付けて前記第１記憶手段に記憶させることを特徴とする請求項６に記載の画像投影装置。
【請求項８】
前記受信手段は、前記指示情報を片方向通信手段により受信することを特徴とする請求項１〜７のいずれか１項に記載の画像投影装置。
【請求項９】
前記制御手段は、前記第１記憶手段から前記識別ＩＤごとにブックマーク登録指示とこれに関連付けた識別情報とを読み出して投影表示させることを特徴とする請求項６〜８のいずれか１項に記載の画像投影装置。
【請求項１０】
前記指示情報は、ブックマーク登録が行われたブックマーク登録回数を前記識別情報ごとに表示させるための多数決指示を含み、
前記制御手段は、前記受信手段が前記多数決指示を受信したことを契機として、前記第１記憶手段からブックマーク登録指示とこれに関連付けた識別情報とを読み出し、各原画像データに対するブックマーク登録回数を算出し、前記ブックマーク登録回数の順に前記識別情報を投影表示させることを特徴とする請求項１〜９のいずれか１項に記載の画像投影装置。
【請求項１１】
請求項１〜１０のいずれか１項に記載の画像投影装置と前記遠隔操作手段とを備えた画像投影システム。
【発明の詳細な説明】
【技術分野】
【０００１】
本発明はパーソナルコンピュータ等の外部情報端末からが画像データを入力して投影スクリーン上に映像を投影する画像投影装置に関する。
【背景技術】
【０００２】
近年、コンピュータ装置等から画像データを入力して液晶表示素子やＤＭＤ（Ｄｉｇｉｔａｌ  Ｍｉｃｒｏｍｉｒｒｏｒ  Ｄｅｖｉｃｅ）素子に当該画像を表示し、光を照射して投影スクリーン上に拡大投影する画像投影装置が広く使用されている。画像投影装置は、会議における小規模のプレゼンテーションや、多数の聴衆を集めて自分の研究成果を発表する大規模のプレゼンテーション等において、多様に使用されている。このようなプレゼンテーションは、プレゼンテーターが手前のパーソナルコンピュータを操作して、パーソナルコンピュータに記憶されたファイル等を開いて行われる。パーソナルコンピュータには画像投影装置に接続し、パーソナルコンピュータの画面上に表示されている画像を拡大投射する。
【０００３】
ところで、このようなプレゼンテーションでは、企画製品や実施計画等の説明が多人数の前で行われる。用意されるプレゼンテーション用のスライド等は、見ている参加者の目前で次々と切り替えられていく。また、スライドに変えて動画表示も行われる。通常このようなプレゼンテーションは、短時間で多数の情報を伝えるために多数のスライドや動画が表示される。そのために、参加者は投影される画像を十分に理解できない場合が多い。
【０００４】
そこで、プレゼンテーションが終了後に既に投影表示したスライドや動画の一場面を再度投影表示する機会が多くなる。例えば、プレゼンテーションを視聴した参加者が質問し、特定のスライドや動画を再度投影表示する場合などである。また、プレゼンテーションが企画中の新製品などの場合に、どの新製品がよいか、どの企画を選択するか、参加者から賛否の集計をとる場面が生ずる。そこで、プレゼンテーターは手前のコンピュータを操作して、その記憶をたどってパーソナルコンピュータ上に表示されているファイルデータを適当な感覚で実際に開いてみて、投影スクリーンに投影させてみる。目的のスライドではない場合に、さらに別のファイルを開いてみて、参加者が再度見たいと思うスライドであるかどうか実際に投影スクリーンに投影させてみることがよく行われている。
【０００５】
また、この種の画像投影装置において、画像投影装置をリモコン装置により制御して、投影されている画像上のカーソルを移動制御することができる画像投影装置が知られている（例えば特許文献１を参照）。この画像投影装置では、リモコン装置からの情報を受信して処理する制御部、カーソルの位置情報などを記憶する記憶部、液晶表示装置等からなる表示部に表示信号を出力する信号処理部、コンピュータ装置とカーソル情報等の送受信を行うための送受信部等を備えている。そして、リモコン装置からの実行コマンドに応じて必要な情報を記憶部から取得し、これらの情報を制御情報の送受信部を介してコンピュータ装置へ出力する。コンピュータ装置はこれらの情報に基づいて、画像投影装置へ表示情報を出力してリモコン装置からの情報に基づいて画像の変更やカーソル位置の変更等の処理を行う、というものである。
【特許文献１】特開２００３−３０３０９２号公報
【発明の開示】
【発明が解決しようとする課題】
【０００６】
画像投影装置を用いてプレゼンテーションを行うに当たり、プレゼンテーションのスライド枚数が少ない場合には、再表示したい画面を短時間で探し出すことが可能である。しかし、スライド枚数が多い場合や、プレゼンテーションがビデオ画像である場合には、短時間で目的のスライドや目的のビデオ画像を探し出すことができない場合が多い。そのような場合、多数の視聴者が目的の画像が出るまでに待たされる、という課題があった。
【０００７】
また、投影画像装置をリモコン装置により操作可能とした上記公知例においては、投影画像上にカーソルを表示させてカーソルの移動等の制御により投影画像の処理を行うことができるが、再度見たいスライド等を短時間で再表示させるという機能は有していない。
【０００８】
本発明は上記課題を解決し、必要なスライド等の投影画像をすばやく再表示することができる画像投影装置を実現することを目的とする。
【課題を解決するための手段】
【０００９】
本発明は上記課題を解決するために以下の手段を講じた。
【００１０】
請求項１に係る発明においては、原画像データを入力して画像データを出力する画像処理手段と、前記出力された画像データに基づいて入射光を画像光に変換する光変換素子と、前記画像光を投影して投影表示を行う結像光学系と、遠隔操作手段から指示情報を受信する受信手段と、前記指示情報に基づいて制御を行う制御手段と、前記原画像データの識別情報を記憶する第１記憶手段と、を備えた画像投影装置であって、前記指示情報は、前記原画像データのブックマーク登録を行うためのブックマーク登録指示と、前記ブックマーク登録が行われた原画像データを再投影して投影表示を行うための再投影指示とを含み、前記制御手段は、前記受信手段が前記ブックマーク登録指示を受信したことを契機として、前記画像処理手段から出力中の画像データに対応する原画像データの識別情報を前記原画像データに関連付けて前記第１記憶手段に記憶させ、前記受信手段が前記再投影指示を受信したことを契機として、前記記憶された識別情報に関連付けられた原画像データを前記画像処理手段に出力させる画像投影装置とした。
【００１１】
請求項２に係る発明においては、ファイルデータを記憶する第２記憶手段と、前記ファイルデータを原画像データに変換する変換手段とを更に備え、前記画像処理手段は、前記変換された原画像データを入力して画像データを出力し、前記制御手段は、前記受信手段が前記ブックマーク登録指示を受信したことを契機として、前記画像処理手段から出力中の画像データに対応する原画像データの識別情報を前記第２記憶手段から取得して前記第１記憶手段に記憶させることを特徴とする請求項１に記載の画像投影装置とした。
【００１２】
請求項３に係る発明においては、外部情報端末と接続するためのインターフェースを更に備え、前記画像処理手段は、前記インターフェースを介して原画像データを入力して画像データを出力し、前記制御手段は、前記受信手段が前記ブックマーク登録指示を受信したことを契機として、前記画像処理手段から出力中の画像データに対応する原画像データの識別情報を、前記インターフェースを介して取得して前記第１記憶手段に記憶させることを特徴とする請求項１に記載の画像投影装置とした。
【００１３】
請求項４に係る発明においては、前記第１記憶手段は、前記識別情報を記憶する識別情報記憶部と前記識別情報に対応する原画像データを記憶する原画像データ記憶部とを有し、前記制御手段は、前記受信手段が前記ブックマーク登録指示を受信したことを契機として、前記画像処理手段から出力中の画像データに対応する原画像データを前記原画像データ記憶部に記憶させることを特徴とする請求項１〜３のいずれか１項に記載の画像投影装置とした。
【００１４】
請求項５に係る発明においては、前記画像処理手段は、映像信号を入力して映像データに変換する映像信号処理手段と、前記映像データを入力してフレームごとに記憶し、画像データとして出力するフレーム記憶手段とを有し、前記制御手段は、前記受信手段が前記ブックマーク登録指示を受信したことを契機として、前記フレーム記憶手段から出力中の画像データに対応する映像データを前記フレーム記憶手段から読み出して、前記原画像データ記憶部に前記原画像データとして記憶させることを特徴とする請求項４に記載の画像投影装置とした。
【００１５】
請求項６に係る発明においては、前記指示情報は、前記遠隔操作手段を識別するための識別ＩＤを含むことを特徴とする請求項１〜５のいずれか１項に記載の画像投影装置とした。
【００１６】
請求項７に係る発明においては、前記制御手段は、前記識別情報と前記識別ＩＤとを関連付けて前記第１記憶手段に記憶させることを特徴とする請求項６に記載の画像投影装置とした。
【００１７】
請求項８に係る発明においては、前記受信手段は、前記指示情報を片方向通信手段により受信することを特徴とする請求項１〜７のいずれか１項に記載の画像投影装置とした。
【００１８】
請求項９に係る発明においては、前記制御手段は、前記第１記憶手段から前記識別ＩＤごとにブックマーク登録指示とこれに関連付けた識別情報とを読み出して投影表示させることを特徴とする請求項６〜８のいずれか１項に記載の画像投影装置とした。
【００１９】
請求項１０に係る発明においては、前記指示情報は、ブックマーク登録が行われたブックマーク登録回数を前記識別情報ごとに表示させるための多数決指示を含み、前記制御手段は、前記受信手段が前記多数決指示を受信したことを契機として、前記第１記憶手段からブックマーク登録指示とこれに関連付けた識別情報とを読み出し、各原画像データに対するブックマーク登録回数を算出し、前記ブックマーク登録回数の順に前記識別情報を投影表示させることを特徴とする請求項１〜９のいずれか１項に記載の画像投影装置とした。
【００２０】
請求項１１に係る発明においては、請求項１〜１０のいずれか１項に記載の画像投影装置と前記遠隔操作手段とを備えた画像投影システムとした。
【発明の効果】
【００２１】
本発明によれば、原画像データを入力して画像データを出力する画像処理手段と、この出力された画像データに基づいて入射光を画像光に変換する光変換素子と、この画像光を投影して投影表示する結像光学系と、リモコン等の遠隔操作手段から支持情報を受信する受信手段と、この受信した指示情報に基づいて制御を行う制御手段と、この識別情報を記憶する第１記憶手段とを備えた画像投影装置である。そして、上記指示情報は、ブックマーク登録を行うためのブックマーク登録指示とブックマーク登録が行われた原画像データを再投影して投影表示を行うための再投影指示とを含む。また、制御手段は、受信手段がブックマーク登録指示を受信したことを契機として、画像処理手段から現在出力中の画像データに対応する原画像データの識別情報をこの原画像データに関連付けて第１記憶手段に記憶させ、更に、受信手段が再投影指示を受信したことを契機として、記憶された識別情報に関連付けられた原画像データを画像処理手段に出力させる。これにより、投影表示された画像の原画像データにブックマーク登録をリモコン等からなる遠隔操作手段により行うことができ、このブックマーク登録した原画像データを同様の遠隔操作手段により短時間で容易に再表示させることができる、という利点を有する。
【００２２】
また、ファイルデータを記憶する第２記憶手段と、当該ファイルデータを原画像データに変換する変換手段とを更に備えている。画像処理手段は、変換手段により変換された原画像データを入力して画像データを出力し、制御手段は、受信手段がブックマーク登録指示を受信したことを契機として、画像処理手段から現在出力中の画像データに対応する原画像データの識別情報を第２記憶手段から取得して第１記憶手段に記憶させるようにした。これにより、アプリケーションソフトウエア等による変換手段により変換される画像データにブックマーク登録を行うことができ、外部情報端末を操作しなくとも遠隔操作手段により簡便にブックマーク登録された画像の再投影表示を行うことができる、という利点を有する。
【００２３】
また、外部情報端末と接続するためのインターフェースを備えている。画像処理手段は、このインターフェースを介して原画像データを入力して画像データを出力し、制御手段は、受信手段がブックマーク登録指示を受信したことを契機として、画像処理手段から現在出力中の画像データに対応する原画像データの識別情報を、インターフェースを介して取得して第１記憶手段に記憶させるようにした。これにより、外部情報端末の操作を行うことなく外部情報端末から受信する原画像データにブックマーク登録を行うことが可能となる、という利便性を有する。
【００２４】
また、第１記憶手段は、識別情報を記憶する識別情報記憶部とこれに対応する原画像データ記憶部とを有している。制御手段は、受信手段がブックマーク登録指示を受信したことを契機として、画像処理手段から現在出力中の画像データに対応する原画像データを原画像データ記憶部に記憶するようにした。これにより、ブックマーク登録された原画像データを当初記憶されていた記憶手段、例えば外部情報端末等へアクセスする必要がないので、短時間に投影表示を行うことができる、という利点を有する。
【００２５】
また、画像処理手段は、映像信号を入力して映像データに変換する映像信号処理手段と、この映像データを入力して映像信号のフレームごとに記憶し、画像データとして出力するフレーム記憶手段を有している。制御手段は、受信手段がブックマーク登録指示を受信したことを契機として、フレーム記憶手段から現在出力中の画像データに対応する映像データをフレーム記憶手段から読み出して、原画像データ記憶部に原画像データとして記憶させるようにした。これにより、映像信号に基づく映像データを原画像データとしてブックマーク登録を行うことを可能とし、必要に応じて当該映像データを原画像データとして投影表示させることができる、という利点を有する。
【００２６】
また、指示情報は遠隔操作手段を識別するための識別ＩＤを含む。これにより、どの遠隔操作手段からブックマーク登録指示が出されたかを識別することができ、ブックマーク登録等の指示情報を送信した遠隔操作手段を識別することができる、という利便性を有する。
【００２７】
また、制御手段は識別情報と遠隔操作手段を識別する識別ＩＤとを関連付けて第１記憶手段に記憶させるようにした。これにより、遠隔操作手段ごとにブックマーク登録テーブルを構成することができる、という利便性を有する。
【００２８】
また、受信手段は指示情報を片方向通信手段により受信するようにした。これにより、双方向通信（無線ＬＡＮ等）より片方向通信（赤外線等）の方が低コストで通信モジュールを実現できる、という利点を有する。尚、ブックマークが登録されたかの確認は例えば投影画面にブックマークアイコンなどを短期間表示すればよいので、双方向通信手段ではなく片方向通信手段でよい。
【００２９】
また、制御手段は、第１記憶手段から識別ＩＤごとにブックマーク登録指示を関連付けた識別情報を読み出して、投影表示させるようにした。これにより、各遠隔操作手段ごとにブックマーク登録の結果を容易に把握することができ、再表示させる場合にすばやく目的の画像を投影表示させることができる、という利点を有する。
【００３０】
また、指示情報は、ブックマーク登録回数の順に識別情報を表示させるための多数決支持を含む。制御手段は、受信手段が多数決指示を受信したことを契機として、第１記憶手段からブックマーク登録指示とこれに関連付けた識別情報とを読出し、原画像データに対するブックマーク登録数を算出し、ブックマーク登録数順に識別情報を登録させるようにした。これにより、多数の参加者がブックマーク登録したその登録回数の、例えば多い順に原画像データを投影表示させることができる。そのため、どのプレゼンテーション用のスライドが視聴者の興味を最も引いたかを短時間で把握することができ、その結果を短時間で投影表示させることができるという利点を有する。その他、また、質問が多い順にスライドを表示でき、効率的な質疑応答ができる。本発明の効果は実施形態の説明において具体的に記載する。
【発明を実施するための最良の形態】
【００３１】
図１は、本発明に係る画像投影システムの概念図である。画像投影装置１は外部情報端末であるパーソナルコンピュータ２と接続してスライド画像等からなる原画像データをパーソナルコンピュータ２から入力し、投影スクリーン４上にスライド画像等を投影表示する。画像投影装置１は遠隔操作手段３であるリモコン装置３ａ、３ｂからブックマーク登録を行う。遠隔操作手段３は赤外線５を用いてブックマーク登録指示等を出力し、画像投影装置１はこれを受信してブックマーク登録を行う。画像投影装置１を用いて会議等を行う場合、プレゼンテーションを行う者がパーソナルコンピュータ２を操作し、会議の参加者がそれぞれリモコン装置３ａ、３ｂを使用して投影表示された画像のブックマーク登録を独立して行うことができる。従って、参加者は、後に改めて見たいスライド画像等を簡単にブックマーク登録の処理を行うことができる。
【００３２】
（画像投影装置の第１の実施形態）
図２は、本発明に係る画像投影装置１の第１の実施形態の構成を示すブロック図である。画像投影装置１の投影部１６は、光源１１を駆動するランプ駆動回路１０と、光源１１からの照明光を集光させる照明光学系１２と、集光された照明光が照射される光変換素子である液晶表示素子１３と、液晶表示素子１３からの画像光を拡大投影して結像させるための結像光学系１４と、結像光学系１４による投影像のピントや拡大率を調節するピント調節機構１５を備えている。ここで、光変換素子として液晶表示素子１３を使用しているが、これに変えて、例えばＤＭＤ素子を使用することができる。また、ランプ駆動回路１０はバス３９を介して制御部２６により制御することができる。
【００３３】
画像投影装置１の画像部３１は、パーソナルコンピュータやビデオ装置等から映像信号を入力する映像信号入力回路１７と、映像信号入力回路１７から出力された映像信号を入力して画像データを出力する画像処理手段である画像処理部１８と、画像処理部１８からの画像データを入力して、光変換手段である液晶表示素子１３を駆動するＬＣＤ駆動回路１９とから構成されている。
【００３４】
画像処理部１８は、メモリ装置やアプリケーションソフトウエア等の変換手段から送信されるスライド画像等からなる原画像データを入力して画像データを生成する画像データ処理回路１８ａと、映像信号を入力し、当該映像信号がアナログデータである場合には当該画像信号のＤ／Ａ変換を行い、映像データを生成する映像信号処理手段である映像データ処理回路１８ｂと、映像データを入力して当該映像のフレームごとに記憶し、当該記憶された映像データを画像データとして出力するフレーム記憶手段であるフレームメモリ２０とを備えている。
【００３５】
ここで、画像データ処理回路１８ａは、バス３９を介して入力する原画像データを液晶表示素子１３が表示することができる画像データへ、画素数や画面形状の変換を行う。更に、画像データ処理回路１８ａは、液晶表示素子１３にブックマーク登録テーブルやブックマーク登録回数テーブルを表示させるためのテーブル制御回路や、カーソルを表示させ、カーソルの移動等を行うためのカーソル制御回路を備えている。また、映像データ処理回路１８ｂは、入力した映像信号がテレビ受像機やビデオデッキ等からのアナログ信号である場合に、当該映像信号をＡ／Ｄ変換するためのＡ／Ｄ変換回路や、当該映像信号から輝度信号や水平同期信号、垂直同期信号を抽出し、ＬＣＤ駆動回路１９へ出力するための抽出回路を備えている。
【００３６】
ブックマーク登録部３２は、遠隔操作手段３であるリモコン装置３ａから赤外線を受光する片方向通信手段である受光部２４と、受光したブックマーク登録指示等を入力する受光制御回路２５と、制御部２６の制御により原画像データの識別情報を記憶するための識別情報記憶部であるテーブル領域２２と当該識別情報に対応する原画像データを記憶する原画像データ記憶部である画像データ領域２３とを有する第１記憶手段である第１メモリ２１とを備えている。なお、片方向通信手段である赤外光を受信する受光部２４に変えて、電波や音波を受信する片方向通信手段であってもよい。
【００３７】
画像投影装置１は、その他に基本動作の制御を行うためのソフトウエアや、変換手段であるアプリケーションソフトウエア３０を記憶するためのＲＯＭ２９と、プログラムの実行及び演算処理を行うＣＰＵ２７及びＣＰＵ２７の作業領域となるＲＡＭ２８を有する制御手段としての制御部２６と、これらの素子または回路間の制御信号やデータの送受信を行うためのバス３９を備えている。
【００３８】
次に、画像投影装置１が映像信号を入力して投影表示を行う場合の信号処理について説明する。映像信号入力回路１７は、テレビ装置やビデオデッキ等から映像信号を入力して画像処理部１８へ出力する。画像処理部１８の映像データ処理回路１８ｂは、入力した映像信号から水平同期信号や垂直同期信号を抽出すると共に、映像信号のＡ／Ｄ変換を行ってデジタルデータへ変換し、液晶表示素子１３において表示可能な映像データを生成する。画像処理部１８のフレームメモリ２０は、映像データ処理回路１８ｂにより生成された映像データをフレーム単位で記憶する。フレームメモリ２０は当該フレームごとに記憶された映像データを画像データとしてＬＣＤ駆動回路１９へ出力する。画像処理部１８の映像データ処理回路１８ｂは、ＬＣＤ駆動回路１９へ現に出力している画像データの識別情報を生成して記憶する。この識別情報には画像データとして出力されるその時刻情報が含まれている。また、映像データ処理回路１８ｂは、ＬＣＤ駆動回路１９を駆動するためのクロック信号や画面の走査期間を定める同期信号、画像輝度を表す輝度信号等を抽出して、ＬＣＤ駆動回路１９へ出力する。ＬＣＤ駆動回路１９は、液晶表示素子１３の１走査期間分の画像データをラッチし、走査線が選択された期間に液晶表示素子１３の信号線に当該ラッチされた画像データをＤ／Ａ変換器を介して与える。ＬＣＤ駆動回路１９は、これを線順次に走査して、１フレームの画像を液晶表示素子１３に書き込む。これを繰り返すことにより、液晶表示素子１３は動画の画像表示を行う。
【００３９】
次に、画像投影装置１が、変換手段であるアプリケーションソフトウエア等を実行して、スライド画像を投影表示する処理について説明する。制御部２６は、ＲＯＭ２９に記憶されているアプリケーションソフトウエア３０を制御部２６のＲＡＭ２８に読み出し、実行する。すると、制御部２６のＣＰＵ２７は、アプリケーションソフトウエアの実行に伴ってスライドが記録されたファイルデータをいずれかのメモリから読み出し、ファイルデータの変換処理を実行して原画像データへ変換する。ＣＰＵ２７は、変換された原画像データを画像処理部１８の画像データ処理回路１８ａへ出力する。原画像データを入力した画像データ処理回路１８ａは、液晶表示素子１３が表示可能な画像データへ変換してＬＣＤ駆動回路１９へ出力する。例えば、入力した原画像データの解像度（画素数）や諧調を液晶表示素子１３の解像度や諧調へ変換する。この変換された画像データをＬＣＤ駆動回路１９が入力して液晶表示素子１３を駆動し、当該画像の投影表示を行う。
【００４０】
次に、画像投影装置１が投影画面にカーソル表示を行う場合について説明する。画像処理部１８の画像データ処理回路１８ａは、カーソルを表示させるためのカーソル制御回路を備えている。カーソル制御回路は、入力した原画像データにカーソルデータを上書きし、カーソル表示を含む画像データをＬＣＤ駆動回路１９に出力する。カーソルの制御は遠隔操作手段３により行う。受光部２４がリモコン装置３ａから赤外光を受信すると、受光制御回路２５は赤外光に付与された指示情報を入力する。ＣＰＵ２７はバス３９を介して受光制御回路２５から当該指示情報を取得してカーソル情報であるか否かを判定する。ＣＰＵ２７は、当該情報がカーソル情報であると判定した場合には、当該カーソル情報を画像データ処理回路１８ａに出力する。画像データ処理回路１８ａのカーソル制御回路は、ＣＰＵ２７の制御に基づいて、カーソル画像のオン・オフ制御、カーソル移動量を加えたカーソル表示の原画像データへの上書き処理を実行する。画像データ処理回路１８ａは、カーソル表示を加えた画像データをＬＣＤ駆動回路１９へ出力する。ＣＰＵ２７は、カーソル表示位置と原画像データとを対応付け、カーソルが指示している画像位置の指示情報を算出する。
【００４１】
次に、画像投影装置１がブックマーク登録を行う動作について、ここで簡単に説明する。なお、この処理は後に詳細に説明する。受光部２４が遠隔操作手段３であるリモコン装置３ａから赤外光を受信すると、受光制御回路２５はその赤外光に付与された指示情報と遠隔操作手段３の識別ＩＤを入力する。ＣＰＵ２７はバス３９を介して受光制御回路２５から当該指示情報と識別ＩＤを取得し、指示情報が例えばブックマーク登録指示であるか否かを判定する。ＣＰＵ２７は、受信した指示情報がブックマーク登録指示であると判定した場合には、画像処理部１８の映像データ処理回路１８ｂから現に投影表示されている画像データの識別情報を取得する。ＣＰＵ２７は、更に当該識別情報に対応する映像データをフレームメモリ２０から読み出し、原画像データとして第１メモリ２１の画像データ領域２３に保存し、同時に、遠隔操作手段３の識別ＩＤごとにブックマーク登録テーブルをテーブル領域２２に作成し、当該原画像データの識別情報を当該ブックマーク登録テーブルに書き込む。このようにして、投影中の画像が映像信号に伴う動画である場合にも、遠隔操作手段３によりブックマーク登録を行うことができる。
【００４２】
次に、画像投影装置１がブックマーク登録された原画像データを再表示する動作について、ここで簡単に説明する。なお、この処理は後に詳細に説明する。受光部２４がリモコン装置３ａから赤外光を受信すると、受光制御回路２５はその赤外光に付与された指示情報とリモコン装置３ａの識別ＩＤを入力する。ＣＰＵ２７はバス３９を介して受光制御回路２５から当該指示情報と識別ＩＤを取得し、当該指示情報が例えば再表示モード指示であるか否かを判定する。ＣＰＵ２７は、受信した指示情報が再表示モード指示であると判定した場合には、第１メモリ２１のテーブル領域２２から当該識別ＩＤに対応するブックマーク登録テーブルを読出して画像データ処理回路１８ａのテーブル制御回路へ出力する。テーブル制御回路は当該識別ＩＤに対応するブックマーク登録テーブルを画像データとしてＬＣＤ駆動回路１９へ出力し、液晶表示素子１３は当該ブックマーク登録テーブルを投影する。
【００４３】
そして、リモコン装置３ａからのカーソル表示指示及びカーソル移動情報により、投影されたブックマーク登録テーブルのテーブル番号を選択する。ＣＰＵ２７は、受光部２４及び受光制御回路２５を介して当該選択されたテーブル番号を特定し、対応する識別情報を取得する。ＣＰＵ２７は、当該識別情報が指し示すいずれかの記憶手段から再表示する原画像データを読み出し、画像処理部１８へ出力する。画像処理部１８は、原画像データを液晶表示素子１３に適合する画像データに変換してＬＣＤ駆動回路１９へ出力し、液晶表示素子１３に表示させる。このように、リモコン装置３ａを操作することにより、ブックマーク登録を行うことができ、同様に、リモコン装置３ａによりブックマーク登録した画像の再表示を迅速かつ簡便に行うことができる。
【００４４】
（遠隔操作手段）
図３は、遠隔操作手段３であるリモコン装置３ａの外観図である。リモコン装置３ａは、図示しない赤外線を送信するための送信部と、カーソルボタン４５と、カーソルを移動させるための右ボタン４１、左ボタン４２、上ボタン４３、下ボタン４４を備えている。これらのボタンは、投影表示されている投影画面にカーソル表示を行い、例えば投影画面を上下左右に移動させる動作や、特定位置にカーソルを移動してカーソルが指示する画像領域を選択することができる。更に、リモコン装置３ａは、ブックマーク登録された画像を再表示するための再表示モードボタン４６、通常表示モードへ切り替えるための通常表示モードボタン４７、多数決表示を行うための多数決モードボタン４８、ブックマーク登録処理やブックマーク削除処理を行うためのブックマーク指示ボタン４９を備えている。これらのボタンは、投影されている投影画像のブックマーク登録及びブックマーク登録した画像の再表示等を行うためのボタンである。
【００４５】
図４は、遠隔操作手段３であるリモコン装置３ａの構成を表すブロック図である。リモコン装置３ａは、リモコン装置３ａの基本動作を制御するためのプログラムやリモコン装置３ａの識別ＩＤを格納するためのＲＯＭ５６と、リモコン装置３ａの動作を制御する制御部５３と、キーパネル５０からの入力情報を処理するキーパネル制御回路５２と、キーパネル５０から入力した情報を赤外線により出力するための赤外線制御回路５１と、赤外線を発光する赤外線発光部５７と、制御信号やデータを転送するためのバス５９とを備えている。制御部５３は、ＣＰＵ５４と、ＲＯＭ５６からプログラムを読み出して一時的に記憶し、当該プログラムを実行するための作業領域となるＲＡＭ５５とを有している。
【００４６】
リモコン装置３ａは次のように操作する。画像投影装置１が画像を投影している状態で、例えばブックマーク指示ボタン４９を押下する。すると、制御部５３のＣＰＵ５４は、キーパネル制御回路５２からブックマーク指示を検出すると共に、当該リモコン装置３ａの識別ＩＤをＲＯＭ５６から読み出し、赤外線制御回路５１から識別ＩＤとブックマーク指示信号を送信させる。これにより、画像投影装置１では現在投影している画像データに対応する原画像データのブックマーク登録を行うことができる。再表示モードボタン４６が押下されると、制御部５３のＣＰＵ５４は、キーパネル制御回路５２から再表示モード指示を検出して、赤外線制御回路５１から再表示モード指示を送信させる。画像投影装置１では現在投影している画像が切り替わり、ブックマーク登録を表すブックマーク登録テーブルと、テーブルに最初に登録した再表示画像が識別情報に対応する原画像データから読み出され投影される。利用者は、カーソルボタン４５を押下する。すると、制御部５３のＣＰＵ５４は、キーパネル制御回路５２からカーソル表示指示を取得して、赤外線制御回路５１に対してカーソル表示支持信号を送信させる。画像投影装置１はカーソルの投影表示を行う。利用者は、リモコン装置３ａのカーソル移動ボタン４１〜４４を操作して投影表示されているカーソルを移動させることができる。利用者は、カーソル移動ボタン４１〜４４を操作して、再表示したいテーブル番号又は識別情報にカーソルを移動し、カーソルボタン４５を押下する。すると、制御部５３は、キーパネル制御回路５２から選択指示を検出し、赤外線制御回路５１から選択指示信号を送信させる。これを受信した画像投影装置１は、投影しているブックマーク登録テーブルからカーソルの位置と選択された識別情報とを特定し、対応する原画像データを再表示させる。
【００４７】
例えば多数決モードボタン４８が押下されると、現在投影している画像が切り替わり、ブックマーク登録の登録数の多い順にブックマーク登録された識別情報のブックマーク登録回数テーブルと、登録回数が最も多い再表示画像が識別情報に対応する原画像データから読み出され投影表示される。利用者は、投影されたテーブルからカーソルボタン４５及び上下左右のカーソル移動ボタン４１〜４４を操作して、再表示したいテーブル番号又は識別情報にカーソルを移動し、カーソルボタン４５を押下する。すると、制御部５３は、キーパネル制御回路５２から選択支持が押下されたことを検出し、赤外線制御回路５１から選択指示信号を送信させる。以後上記と同様に、選択された識別情報に対応する原画像データが読み出され、投影表示を行う。
【００４８】
（テーブル）
図５は、画像投影装置１の第１記憶手段である第１メモリ２１のテーブル領域２２に記憶されるテーブルである。図５（ａ）が、リモコン装置３ａのブックマーク指示ボタン４９が押下されたときに作成されるブックマーク登録テーブルであり、図５（ｂ）が、リモコン装置３ａの多数決モードボタン４８が押下されたときに作成されるブックマーク登録回数テーブルである。図５（ａ）において、第１行にはリモコン装置３ａの識別ＩＤである「Ａａ」が記録される。第２行目以下には、テーブル番号と、ブックマーク登録が行われた原画像データの識別情報であるリンクパスが記録される。テーブル番号１にはリンクパス「０ｘ０００Ｆ」が記録されている。このリンクパスは、第１メモリ２１である「Ｏｘ」の、画像データ領域２３のアドレス「０００Ｆ」を意味する。そして、第１メモリ２１のアドレス「０００Ｆ」には、最初にブックマーク登録された原画像データが記憶されている。制御部２６のＣＰＵ２７は、第１メモリ２１のテーブル領域２２からブックマーク登録テーブルのデータを読出して画像処理部１８へ出力する。画像処理部１８は画像データとしてＬＣＤ駆動回路１９へ出力し、液晶表示素子１３は当該ブックマーク登録テーブルを投影表示する。
【００４９】
利用者は、制御部リモコン装置３ａのカーソルボタン４５及び上下左右のカーソル移動ボタン４１〜４４を操作して再表示したいテーブル番号を、カーソルボタン４５を押下することにより選択する。すると、リモコン装置３ａの制御部５３はキーパネル制御回路５２から選択指示を検出して赤外線制御回路５１から選択指示信号を送信させる。画像投影装置１の受光部２４及び受光制御回路２５はこれを受信する。ＣＰＵ２７は、受光制御回路２５から選択示指示を検出し、画像処理部１８の画像データ処理回路１８ａに備えたカーソル制御回路とテーブル制御回路からカーソルデータとテーブルデータとを取得し、選択されたテーブル番号を特定する。ＣＰＵ２７は、第１メモリ２１と画像データ領域２３のアドレスを指定して画像処理部１８へ当該アドレスに記憶された原画像データ読み出して、画像データをＬＣＤ駆動回路１９及び液晶表示素子１３へ出力する。これにより、選択された画像を再度投影することができる。
【００５０】
なお、上記の実施例では、原画像データを第１メモリ２１の画像データ領域２３から読み出しているが、後に詳細に説明するように、他の画像ファイルや、画像投影装置１に接続されているパーソナルコンピュータ等のメモリを指定して、原画像データを取り込むことができる。
【００５１】
図５（ｂ）は、多数決モードボタン４８が押下されたときに第１メモリ２１のテーブル領域２２に記憶されるブックマーク登録回数テーブルである。既にブックマーク登録がなされているブックマーク登録テーブルから、ブックマーク登録回数の多い順に並べられている。左欄から、テーブル番号と、これに対応する識別情報であるリンクパスのアドレスと、当該アドレスに記憶されている原画像データがブックマーク登録された回数を表している。ブックマーク登録された回数が多いほど、参加者が当該画像の再表示を希望していることを意味する。利用者は、リモコン装置３ａのカーソルボタン４５を押下すると、上記再表示モードボタン４６を押下したときと同様に、投影表示画にカーソルが表示される。利用者は、カーソルの位置をカーソル移動ボタン４１〜４４により走査して再表示を希望するテーブル番号に移動し、カーソルボタン４５を押下してテーブル番号を選択することができる。これにより、画像投影装置１のＣＰＵ２７は、当該テーブル番号の識別情報であるリンクパスから原画像データを画像処理部１８に出力させて、再投影表示の処理が実行される。
【００５２】
（画像投影装置の第２の実施形態）
図６は、本発明に係る画像投影装置６０の第２の実施形態の構成を示すブロック図である。同一の部分又は同一の機能を表す部分には同一の符号を付した。第１の実施形態の画像投影装置１と異なる部分は、変換手段であるアプリケーションソフトウエア３０に対応するファイルデータ６２を格納する第２記憶手段である第２メモリ６１を設けたことである。また、第１記憶手段である第１メモリ２１には画像データ領域２３を設けていない点である。その他の構成は、第１の実施形態に係る画像投影装置１と同様である。
【００５３】
第２メモリ６１は次のように機能する。画像投影装置６０において投影表示を行うにあたり、まず、制御部２６のＣＰＵ２７は、ＲＯＭ２９に記憶された変換手段であるアプリケーションソフトウエア３０を制御部２６のＲＡＭ２８に読み出す。ＣＰＵ２７は、アプリケーションソフトウエアを起動させ、第２メモリ６１のファイルデータ６２をファイルごとに読出して原画像データへ変換し、画像処理部１８へ当該原画像データを出力する。画像処理部１８の画像データ処理回路１８ａは、当該原画像データをバス３９を介して入力し、液晶表示素子１３に適合する画像データへ変換してＬＣＤ駆動回路１９へ出力する。液晶表示素子１３は当該ファイルデータ６２の画像を表示することにより、結像光学系１４により当該画像が投影される。
【００５４】
受光部２４がリモコン装置３ａから指示情報の赤外光を受光し、受光制御回路２５は受光部２４から指示情報を入力する。ＣＰＵ２７が、バス３９を介して受光制御回路２５から当該指示情報を取り込み、例えばブックマーク指示であると判定した場合には、ＣＰＵ２７はファイルデータ６２の識別情報を読み出し、この読み出した識別情報を第１メモリ２１のテーブル領域２２にリモコン装置３ａの識別ＩＤと共に書き込む。この場合の識別情報は、当該ファイルデータ６２が記憶されている第２メモリの名前とその記憶された領域のアドレスとなる。または、第２メモリに記憶されたファイル名及びその中のスライド番号やページ番号等を画像識別情報として第１メモリ２１のテーブル領域２２にリモコン装置３ａの識別ＩＤと共に書き込んでも良い。
【００５５】
受光部２４がリモコン装置３ａから指示情報の赤外光を受光し、ＣＰＵ２７が受光制御回路２５から当該指示情報を取り込み、例えば再表示モード指示であると判定した場合には、ＣＰＵ２７は第１メモリ２１のテーブル領域２２からブックマーク登録テーブルを読出し、画像処理部１８の画像データ処理回路１８ａへ出力して原画像データに上書きして、又は、原画像データに変えて当該ブックマーク登録テーブルの画像データをＬＣＤ駆動回路１９へ出力する。更にＣＰＵ２７は、リモコン装置３ａのカーソルボタン４５の押下に伴うカーソル表示指示を取得し、画像データ処理回路１８ａのカーソル制御回路に対してカーソル表示指示を出力して、原画像データにカーソル表示を上書きさせる。利用者がリモコン装置３ａのカーソル移動ボタン４１〜４４を操作して表示されたカーソルを再表示したいテーブル番号に合わせてカーソルボタン４５を押下する。ＣＰＵ２７は、画像データ処理回路１８ａが出力する画像データとカーソル制御回路が上書きするカーソル表示とから選択されたテーブル番号を検出する。そして、ＣＰＵ２７は、そのテーブル番号に対応する識別情報であるリンク先のメモリ名とそのアドレスからファイルデータ６２を特定する。そして、ＣＰＵ２７は、このファイルの変換手段であるアプリケーションソフトウエアを実行して当該ファイルデータ６２を原画像データへ変換して画像データ処理回路１８ａへ出力させる。画像データ処理回路１８ａは、この原画像データを液晶表示素子１３に適合する画像データへ変換してＬＣＤ駆動回路１９へ出力する。液晶表示素子１３はその画像を表示し、結像光学系１４により投影表示を行う。また、ＣＰＵ２７は、そのテーブル番号に対応する識別情報であるファイルデータ６２のファイル名とそのスライド番号からブックマークされた画像を特定する。そして、ＣＰＵ２７は、このファイルの実行手段であるアプリケーションソフトウエアを実行して当該ファイルデータ６２をファイル名から特定して呼び出し、さらに所定のスライド番号で特定される画像データを原画像データへ変換して画像データ処理回路１８ａへ出力させる。画像データ処理回路１８ａは、この原画像データを液晶表示素子１３に適合する画像データへ変換してＬＣＤ駆動回路１９へ出力する。液晶表示素子１３はその画像を表示し、結像光学系１４により投影表示を行わせてもよい。
【００５６】
（画像投影装置の第３の実施形態）
図７は、本発明に係る画像投影装置７０の第３の実施形態の構成を示すブロック図である。同一の部分又は同一の機能を表す部分には同一の符号を付した。第１の実施形態の画像投影装置１と異なる部分は、インターフェース（Ｉ／Ｆ）７４を介して原画像データを入力する点である。その他の構成は第１の実施形態において説明した画像投影装置１と同じである。
【００５７】
画像投影装置７０は、ＵＳＢケーブル等により外部情報端末であるパーソナルコンピュータ（ＰＣ）７１と接続している。外部のＰＣ７１はアプリケーションソフトウエア７２を搭載し、ＰＣ７２に記憶されたファイルデータ７３を変換して原画像データを出力する。画像投影装置７０は、制御部２６の制御によりＩ／Ｆ７４を介して原画像データを入力し、画像データ処理回路１８ａは、この原画像データを入力して液晶表示素子１３に適合する画像データに変換してＬＣＤ駆動回路１９へ出力し、液晶表示素子１３は当該画像を表示し、表示された画像が結像光学系１４により投影スクリーン４へ投影表示される。
【００５８】
画像投影装置７０の受光部２４が赤外光を受光し、受光制御回路２５がリモコン装置３ａから指示情報を入力する。ＣＰＵ２７は、受光制御回路２５から指示情報を取り込み、当該支持情報が例えばブックマーク指示であることを検出した場合には、Ｉ／Ｆ７４を介してＰＣ７１のファイルデータ７３にアクセスし、当該ファイルの識別情報を取得する。ＣＰＵ２７は、当該識別情報を第１メモリ２１のテーブル領域２２にリモコン装置３ａから取得した識別ＩＤと共に書き込む。受光部２４が更に赤外光を受光し、受光制御回路２５が識別情報を入力すると、ＣＰＵ２７は、受光制御回路２５から当該識別情報を取得して当該識別情報を判別する。ＣＰＵ２７が、当該識別情報が再表示モード指示であることを検出したときは、第１メモリ２１のテーブル領域２２からブックマーク登録テーブルを読出し、画像データ処理回路１８ａへ出力する。画像データ処理回路１８ａは、制御部２６から再表示モード指示の情報を取得して、画像データ処理回路１８ａのテーブル制御回路を起動してブックマーク登録テーブルを出力し、テーブルに最初に登録した再表示画像が識別情報に対応する原画像データも読み出され投影する。この場合に、原画像データの上にブックマーク登録テーブルを上書きするようにしても良い。
【００５９】
利用者は、リモコン装置３ａのカーソルボタン４５を押下して、投影画像にカーソル表示を行う。そしてカーソル移動ボタン４１〜４４を操作して、再表示する画像のテーブル番号を指定する。画像投影装置７０のＣＰＵ２７は、受光制御回路２５からカーソル移動データを読み出して、カーソル制御回路に対してその移動量を出力し、カーソル制御回路は移動情報に基づいてカーソルを上書きして表示上のカーソルの移動表示を行う。利用者は、カーソル位置を移動して再表示したいテーブル番号を選定し、カーソルボタン４５を押下する。これにより、受光部２４が赤外光を受光して受光制御回路２５がこの選択指示を入力する。ＣＰＵ２７は、この選択指示情報を取得してカーソルボタン４５が押下されたことを検出し、現在投影中の画像データから選択されたテーブル番号を算出し対応するリンクパスからなる識別情報を読み出す。そして、ＣＰＵ２７は、Ｉ／Ｆ７４を介してＰＣ７１のアプリケーションソフトウエア７２を実行させ、当該メモリの当該アドレスに記憶されたファイルデータ７３を読み出して原画像データに変換し、この変換された原画像データをＩ／Ｆ７４を介して取得する。ＣＰＵ２７は、原画像データを画像データ処理回路１８ａに入力させて、画像データに変換してＬＣＤ駆動回路１９へ出力し、当該画像の投影を行う。
【００６０】
なお、上記の場合は、ＰＣ７１上のアプリケーションソフトウエア７２を起動してファイルデータ７３のデータをＰＣ７１において変換して原画像データをＩ／Ｆ７４を介して入力した。これに代えて、ＣＰＵ２７はＲＯＭ２９のアプリケーションソフトウエア３０を起動し、このアプリケーションソフトウエア３０がブックマーク登録テーブルにより指定されたメモリ名及びメモリアドレスからファイルデータ７３のデータを取り込んで原画像データへ変換するようにしてもよい。
【００６１】
また、ファイルデータ６２や接続したＰＣ７１のファイルデータ７３をアプリケーションソフトウエア３０やＰＣ７１のアプリケーションソフトウエア７２により変換して原画像データを生成し、当該原画像データを画像データ処理回路１８ａが入力して液晶表示素子１３に適合する画像データへ加工してＬＣＤ駆動回路１９へ出力する。この場合に、加工されたが画像データを一旦フレームメモリ２０に記憶させ、フレームメモリ２０から画像データとしてＬＣＤ駆動回路１９へ直接出力するようにしてもよい。この場合は、フレームメモリ２０は画像データ処理回路１８ａとＬＣＤ駆動回路１９との間に構成される。また、フレームメモリ２０とは別に映像データ処理回路１８ｂがフレームバッファメモリを備え、加工された画像データを一旦フレームバッファメモリに格納するようにしてもよい。また、画像データ処理回路１８ａのカーソル制御回路により原画像データにカーソル表示を上書きする場合に、画像データをフレームバッファメモリに一旦記憶させ、この記憶された画像データにカーソル表示を上書きするようにしても良い。
【００６２】
なお、上記の説明において、第１の実施形態においては原画像データを記憶する領域として第１メモリ２１に画像データ領域２３とし、第２の実施形態においては第２メモリ６１とし、第３の実施形態においてはＩ／Ｆ７４を介して外部ＰＣ７１に記憶されたファイルデータ７３としているが、原画像データを記憶するメモリとしてこれらをすべて備えた画像投影装置とすることができることは、いうまでもない。
【００６３】
次に、本発明の第１の実施形態に係る画像投影装置１、第２の実施形態に係る画像投影装置６０、第３の実施形態に係る画像投影装置７０及び遠隔操作手段３の動作について、フローチャート図を用いて詳細に説明する。以下、画像投影装置１、画像投影装置６０及び画像投影装置７０を総称して画像投影装置と記載する。
【００６４】
＜メイン処理＞
図８は、本実施形態に係る画像投影装置のメイン処理を表すフローチャート図である。画像投影装置の電源をオンすると、制御部２６はＲＯＭ２９からメイン処理プログラムを読み出してＲＡＭ２８に記憶し、ＣＰＵ２７はそのメイン処理を実行する。ＣＰＵ２７はバス３９を介して受光制御回路２５が遠隔操作手段３であるリモコン装置３ａから指示情報を入力しているか否かを検出する（ステップＳ１）。ＣＰＵ２７は、受光制御回路２５がリモコン装置３ａから指示情報を受信していることを検出したときは（ステップＳ１のＹＥＳ）、リモコン装置３ａから入力した指示情報の入力処理を実行する（ステップＳ２）。ＣＰＵ２７は、受光制御回路２５がリモコン装置３ａから指示情報を入力していないと判定した場合には、その他の処理、例えば通常の投影表示等を行う（ステップＳ３）。そして、ＣＰＵ２７は、画像投影装置の電源がＯＦＦされていないと判定したときは（ステップＳ４のＮＯ）、ステップＳ１に戻り、以上のステップを繰り返す。制御部２６、画像投影装置の電源がＯＦＦされたことを判定したときは（ステップＳ４のＹＥＳ）、ランプ駆動回路１０やその他の回路及び制御を中止して終了する。
【００６５】
＜リモコン装置からの指示情報の入力処理＞
図９は、本実施形態に係る画像投影装置のリモコン装置３ａから入力した指示情報の入力処理を表すフローチャート図である。リモコン装置３ａから入力した指示情報が、ブックマーク指示、再表示モード指示、多数決モード指示、通常表示モード指示、あるいは、その他の処理指示であるかを判別する。
【００６６】
ここで、ブックマーク指示とはブックマーク登録処理とブックマーク削除処理のいずれかの処理を実行させるための指示である。ブックマーク登録処理とは、現在投影表示されている画像にブックマークを付与するために、第１メモリ２１のテーブル領域２２にブックマーク登録を行う処理である。ブックマーク登録では、第１メモリ２１のテーブル領域２２に、ブックマーク指示を送信したリモコン装置の識別ＩＤごとにブックマーク登録テーブルを作成し、現在投影している画像データに対応する原画像データの識別情報を当該テーブル領域２２のブックマーク登録テーブルに記憶する処理である。また、ブックマーク登録処理では、画像処理部１８から現在出力されている画像データに対応する原画像データの識別情報を当該ブックマーク登録テーブルの識別情報と関連付けて第１メモリ２１の画像データ領域２３に保存する場合も含まれる。ブックマーク削除処理とは、第１メモリ２１のテーブル領域２２に記憶されたブックマーク登録を削除する処理である。第１メモリ２１の画像データ領域２３に対応する原画像データが記憶されている場合には、この原画像データも削除して、メモリ領域を確保する。
【００６７】
再表示モード指示とは、第１メモリ２１のテーブル領域２２に記憶されたブックマーク登録テーブルの中からテーブル番号を指定して、これに対応する原画像データを画像処理部１８へ出力し、再投影表示を行う処理を実行させるための指示である。多数決モード指示とは、テーブル領域２２に記憶されたブックマーク登録テーブルからブックマーク登録数の多い順から並び替え、ブックマーク登録回数テーブルを作成してこの一覧表を投影表示し、この一覧表の中からテーブル番号を指定、あるいはブックマーク登録回数の多い順から原画像データを画像処理部１８へ出力させ、再投影表示を行う処理を実行させるための指示である。通常表示モード指示とは、再表示モードや多数決モードから通常の画像投影表示へ切り替える処理を実行させるための指示である。その他の処理指示とは、カーソルを移動させるための移動量データの取得等の処理を実行させる場合である。
【００６８】
ＣＰＵ２７は、受光制御回路２５から指示情報をバス３９を介して取得し、当該指示情報がブックマーク指示であると判定したときは（ステップＳ１０のＹＥＳ）、ＣＰＵ２７は、画像処理部１８がＬＣＤ駆動回路１９へ画像データを出力する通常の投影表示モード、即ち通常の画像投影装置として画像投影を行っているか否かを判定する。ＣＰＵ２７が、画像処理部１８が通常表示モードで画像データを出力していると判定してときは（ステップＳ１１のＹＥＳ）、ブックマーク登録処理を実行する（ステップＳ１３）。ＣＰＵ２７は、画像処理部１８が通常表示モードで画像データを出力していないと判定したときは（ステップＳ１１のＮＯ）、ＣＰＵ２７は、再表示モード、即ち画像処理部１８がブックマーク登録された原画像データを入力して画像データを出力していると判定したときは（ステップＳ１２のＹＥＳ）、ブックマーク削除処理を実行する（ステップＳ１４）。以上の説明から明らかに、ブックマーク登録がされた画像を投影表示しているときにブックマーク指示を検出した場合は、ブックマーク削除処理を実行する。
【００６９】
ＣＰＵ２７が、受光制御回路２５が指示情報を入力し、当該支持情報がブックマーク指示でないと判断したときは（ステップＳ１０のＮＯ）、ＣＰＵ２７は、受光制御回路２５がリモコン装置３ａから入力した指示情報が再表示モード指示であると判定したときは（ステップＳ１５のＹＥＳ）、再表示モード処理を実行する（ステップＳ１６）。ＣＰＵ２７が、リモコン装置３ａから入力した指示情報が再表示モード指示でないと判定したときは（ステップＳ１５のＮＯ）、多数決モード指示であるか否かを判定する（ステップＳ１７）。ＣＰＵ２７が、受光制御回路２５から取得した指示情報が多数決モード指示であると判定したときは（ステップＳ１７のＹＥＳ）、多数決モード処理を実行する（ステップＳ１８）。ＣＰＵ２７が、受光制御回路２５から取得した指示情報が多数決モード指示でないと判定したときは（ステップＳ１７のＮＯ）、通常表示モード切替指示であるか否かを判定する（ステップＳ１９）。ＣＰＵ２７が、受光制御回路２５から取得した指示情報が通常表示モード切替指示であると判定したときは（ステップＳ１９のＹＥＳ）、通常表示モード処理を実行する（ステップＳ２０）。ＣＰＵ２７が、受光制御回路２５から取得した指示情報が通常表示モード切替指示ではないと判定したときは（ステップＳ１９のＮＯ）、その他の処理を実行する（ステップＳ２１）。
【００７０】
＜ブックマーク登録処理＞
図１０は、本実施形態に係る画像投影装置のブックマーク登録処理を表すフローチャート図である。ブックマーク登録処理は現在投影表示されている画像にブックマークを付与する処理である。受光部２４はリモコン装置３ａから赤外線を受光し、受光制御回路２５が指示情報を入力する。受光部２４は、この指示情報を入力する際に、リモコン装置３ａから送信されたリモコン装置３ａを識別するための識別ＩＤを入力している。ＣＰＵ２７は、受光制御回路２５から識別ＩＤを取得する（ステップＳ３０）。ＣＰＵ２７は当該取得した識別ＩＤを初めて検出したか否かを判定する。ＣＰＵ２７が初めて検出したと判定したときは（ステップＳ３１のＹＥＳ）、第１メモリ２１のテーブル領域２２に当該識別ＩＤ用のブックマーク登録テーブルを新規に作成する（ステップＳ３２）。ＣＰＵ２７は、液晶表示素子１３が現在投影表示している画像に対応する原画像データの識別情報を画像処理部１８から、あるいは第２記憶手段である第２メモリのファイルデータ６２から（画像投影装置６０）、又は、Ｉ／Ｆ７４を介してＰＣ７１に記憶されているファイルデータ７３から取得する（画像投影装置７０）。ＣＰＵ２７は、この取得した識別情報を第１メモリ２１のテーブル領域２２に新規に作成されたブックマーク登録テーブルに書き込んで登録処理を行う（ステップＳ３３）。ＣＰＵ２７が、識別ＩＤが初めて検出したものではなく、既に検出されていると判定したときは（ステップＳ３１のＮＯ）、ステップＳ３３の登録処理を行う。この場合は、第１メモリ２１のテーブル領域２２に既にブックマーク登録テーブルが構成されているからである。ステップＳ３３の登録処理が終了すると、ブックマーク登録処理は終了する。
【００７１】
＜ブックマーク登録処理：表示画像データを識別ＩＤ毎にブックマーク登録処理＞
図１１は、上記ステップＳ３３における原画像データを識別ＩＤごとにブックマークとして登録するブックマーク登録処理を表すフローチャート図である。この場合は、ブックマーク登録した現在表示している画像データに対応する原画像データを第１メモリ２１の画像データ領域２３に書き込んで保存する処理である（画像投影装置１）。ＣＰＵ２７は、ブックマーク登録を行った識別情報を参照し、当該識別情報に対応する現画像データが第１メモリ２１の画像データ領域２３（画像投影装置１）、第２メモリのファイルデータ６２（画像投影装置６０）又は現在接続されているＰＣ７１のファイルデータ７３（画像投影装置７０）に保存されているか否かを判定する。ＣＰＵ２７は、上記いずれのメモリ上にも保存されていないと判定したときは（ステップＳ３５のＮＯ）、原画像データを第１メモリ２１の画像データ領域２３に書き込み、保存する（ステップＳ３６）。ＣＰＵ２７は、当該保存した原画像データの識別情報をテーブル領域２２に保存されているブックマーク登録テーブルに記録する（ステップＳ３７）。この場合に、識別情報として原画像データが保存されている保存先へのリンクパスを記録する。上記例の場合、識別情報は、第１メモリ２１のメモリ名と画像データ領域２３に保存された原画像データのアドレスとなる。
【００７２】
ＣＰＵ２７が、現在表示している画像データに対応する原画像データがいずれかのメモリ上に保存されていると判定したときは（ステップＳ３５のＹＥＳ）、ＣＰＵ２７は、保存先の識別情報をテーブル領域２２に記憶されているブックマーク登録テーブルに登録する（ステップＳ３７）。この場合の識別情報は、保存先へのリンクパスとなる。例えば第２メモリ６１のファイルデータ６２である場合には、識別情報は第２メモリ名と当該保存されているファイルデータ６２のアドレスとなる。
【００７３】
なお、ステップＳ３５において、同一の原画像データがいずれかのメモリ上に存在するか否かを判定する際に、いずれかのメモリ上に保存されている原画像データの識別情報が一致するか否かについて比較した。しかし、保存された原画像データが映像信号入力回路１７を介して入力された動画に基づく映像データである場合には、その原画像データの識別情報には当該保存した時刻情報が含まれている。後に映像データに基づく原画像データに識別情報を付与するときは、その付与する時刻の時刻情報を含める。従って、先にブックマーク登録して保存した原画像データの識別情報と、後にブックマーク登録を行うために原画像データに付与した識別情報とは一致することがない。しかしビデオデータからなる映像信号であっても、静止画像の場合もあり得る。同一の静止画像を常に画像データ領域２３に格納すると、第１メモリ２１の容量不足となる。
【００７４】
そこで、ＣＰＵ２７は、原画像データが映像データに基づくものであることを判定した場合には、先に保存した原画像データと、後にブックマーク登録処理を行うためにフレームメモリ２０から取得した映像データとを制御部２６のＲＡＭ２８に取り込んで、これらのデータ同士の比較処理を行う。先に保存した原画像データと後にブックマーク登録しようとする映像データとが一致する場合には（ステップＳ３５のＹＥＳ）、当該映像データを画像データ領域２３に保存することなく、先にブックマーク登録された識別情報と同一の識別情報を付与してテーブル領域２２に保存されているブックマーク登録テーブルに書き込む処理を行う。これにより、画像データ領域２３のメモリ容量を著しく節約することができる。
【００７５】
＜ブックマーク登録処理：第２メモリ／ＰＣのメモリのファイルに直接リンクする場合＞
図１２は、上記ステップ３３における原画像データを識別ＩＤ毎にブックマークとして登録するブックマーク登録処理であり、特にファイルデータとして原画像データが保存されている場合のフローチャート図である。この場合は、通常第１メモリ２１に原画像データを登録しなくとも、その他のいずれかのメモリ上に記憶されている。ＣＰＵ２７は、第２メモリ６１のファイルデータ６２から、又は現在接続されているＰＣ７１のファイルデータ７３から直接識別情報を取得する（ステップＳ４０）。例えば第２メモリ６１から識別情報を取得する場合は、ファイルデータ６２へのリンクパスが識別情報となる。即ち、ファイルデータ６２又はファイルデータ７３を格納する第２メモリ名とファイルデータ６２が保存されているアドレスとなる。次に、当該識別情報であるリンクパスを第１メモリ２１のテーブル領域２２に記憶されているブックマーク登録テーブルに登録する処理を行う（ステップＳ４１）。
【００７６】
＜ブックマーク削除処理:原画像データが第１メモリに記憶されている場合＞
図１３は、ブックマーク削除処理を表すフローチャート図である。特に原画像データが第１メモリ２１の画像データ領域２３に記憶されている場合である。ＣＰＵ２７は、再表示モードにおいて現在投影表示している画像に対応する原画像データの識別情報がいずれかのメモリ上（ブックマーク登録テーブル）に保存されていないかどうかを検索する（ステップＳ４５）。ＣＰＵ２７が、同一の識別情報がいずれのメモリ上にも保存されていないことを検出したときは（ステップＳ４６のＮＯ）、ＣＰＵ２７は、第１メモリ２１の画像データ領域２３から対応する原画像データを削除する処理を実行する（ステップＳ４７）。次に、ＣＰＵ２７は、テーブル領域２２に記憶されているブックマーク登録テーブルから、当該識別情報の削除処理を実行し（ステップＳ４８）、終了する。ＣＰＵ２７が、現在投影表示している画像に対応する同一の識別情報をいずれかのメモリ上に保存されていることを検出したときは（ステップＳ４６のＹＥＳ）、第１メモリ２１のテーブル領域２２に記憶されているブックマーク登録テーブルから当該識別情報を削除する（ステップＳ４８）。これにより、対応する原画像データは残して、ブックマーク登録テーブルからのみ削除する。
【００７７】
＜ブックマーク削除処理：原画像データが第２メモリ／ＰＣのメモリに記憶されている場合＞
図１４は、ブックマーク削除処理を表すフローチャート図である。特に原画像データが第２メモリ６１のファイルデータ６２や、現在接続されているＰＣ７１のファイルデータ７３に保存されている場合である。この場合は、ブックマーク登録テーブルから当該識別情報を削除する処理を実行する（ステップＳ５０）。これにより、いずれのメモリからも当該識別情報に対応する原画像データが削除処理されることはない。
【００７８】
＜ブックマーク登録後のモード切替：再表示モードへ切替＞
図１５は、ブックマーク登録処理後に、再表示モードへ切り替える処理を表すフローチャート図である。この処理は複数のリモコン装置３ａ、３ｂ等から行うことができる。利用者がリモコン装置３ａの再表示モードボタン４６を押下する。すると画像投影装置の受光部２４は赤外光を検出し、受光制御回路２５は当該赤外光に付与された指示情報を入力する。ＣＰＵ２７は、当該指示情報からこの指示情報を送信したリモコン装置３ａの識別ＩＤを取得する識別処理を行い（ステップＳ５５）、当該取得した識別ＩＤと同じ識別ＩＤを第１メモリ２１のテーブル領域２２に記憶されたブックマーク登録テーブルに記憶されているか否かを判定する（ステップＳ５６）。ＣＰＵ２７は、該当する識別ＩＤがブックマーク登録テーブルに記憶されていると判定したときは（ステップＳ５６のＹＥＳ）、当該識別ＩＤの識別情報を取得する（ステップＳ５７）。ＣＰＵ２７は、当該識別情報が指示するリンクパス先のメモリを特定し、画像処理部１８の原画像データの入力先を当該メモリに切り替える（ステップＳ５８）。画像処理部１８は、入力した原画像データを画像データに変換してＬＣＤ駆動回路１９へ出力し、液晶表示素子１３及び結像光学系１４を介して画像を投影表示させる（ステップＳ５９）。ＣＰＵ２７は、ブックマークの登録順に画像を順次投影表示させる。また、ＣＰＵ２７は、該当する識別ＩＤがブックマーク登録テーブルに保存されていないことを判定した場合には（ステップＳ５６のＮＯ）、そのまま処理を終了する。即ち、ブックマーク登録がされていないことを意味する。
【００７９】
ここで、ＣＰＵ２７が画像処理部１８の入力先を識別情報が指示するメモリ先に切り替えたステップＳ５８の場合において、当該メモリ先に記憶された原画像データが映像信号に基づくものである場合には、画像処理部１８の映像データ処理回路１８ｂ又はフレームメモリ２０が原画像データを入力する。例えば、識別情報が指示するリンクパス先が第１メモリ２１の画像データ領域２３であり、保存された原画像データが映像信号に基づく場合である。一方、ＣＰＵ２７が切り替えた原画像データの入力先が、第２メモリ６１のファイルデータ６２やＰＣ７１のファイルデータ７３である場合には、画像処理部１８の画像データ処理回路１８ａが原画像データを入力する。
【００８０】
＜ブックマーク登録後のモード切替：多数決モードへ切替＞
図１６は、ブックマーク登録処理後に、多数決モードへ切り替える処理を表すフローチャート図である。この処理も、複数のリモコン装置３ａ、３ｂ等から行うことができる。利用者がリモコン装置３ａの多数決モードボタン４８を押下すると、画像投影装置の受光部２４は赤外光を検出し、受光制御回路２５は指示情報を入力する。ＣＰＵ２７は、受光制御回路２５から指示情報を取得し、多数決モード指示であることを判定する。ＣＰＵ２７は、多数決モード指示を取得すると、第１メモリ２１のテーブル領域２２に多数決表示を行うためのブックマーク登録回数テーブルを新規に作成する（ステップＳ６０）。ＣＰＵ２７は、テーブル領域２２に既に記憶されているブックマーク登録テーブルをＲＡＭ２８に取り込み、ブックマーク登録の登録数の多い順に識別情報を並び替え、上記新規に作成されたブックマーク登録回数テーブルに書き込んで登録する（ステップＳ６１）。例えば、図５（ｂ）に示すように、テーブル番号１には識別情報であるリンクパスが記録され、そのブックマーク登録回数が記載される。
【００８１】
次に、ＣＰＵ２７は、ブックマーク登録回数の多い順に該当する識別情報を取得する（ステップＳ６２）。ＣＰＵ２７は、画像処理部１８が原画像データを入力する入力先を、当該識別情報が指示するリンクパス先のメモリ、例えば第１メモリ２１の画像データ領域２３、第２メモリ６１のファイルデータ６２或いは現在接続されているＰＣ７１のファイルデータ７３に切り替える処理を行う（ステップＳ６３）。画像処理部１８は、当該メモリから原画像データを入力し、画像データに変換してＬＣＤ駆動回路１９、液晶表示素子１３へ出力し、当該画像データの画像を投影表示させる（ステップＳ６４）。これ以降ＣＰＵ２７は、ブックマーク登録回数の多い順にリモコンの操作（キー４１で次、キー４３で戻るなど）により画像を順次投影表示させる。
【００８２】
なお、上記ステップＳ５９、Ｓ６２においては、ＣＰＵ２７はブックマーク登録回数の多い順に識別情報が指示するリンクパスから自動的に原画像データを画像処理部１８に入力する処理を説明した。しかしこれを、リモコン装置３ａのカーソルボタン４５を押下して投影画像にカーソル表示を行い、利用者がカーソル移動ボタン４１〜４４を操作して、再表示させたいブックマーク登録番号を投影表示上で選択し、再度カーソルボタン４５を押下して再表示するようにしてもよい。
【００８３】
＜ブックマーク登録後のモード切替：再表示モードから通常表示モードへの切替＞
図１７は、ブックマーク登録処理後の再表示モードから通常表示モードへ切り替える処理を表すフローチャート図である。利用者がリモコン装置３ａの再表示モードボタン４６を押下すると、画像投影装置の受光部２４は赤外光を検出し、受光制御回路２５は赤外光に含まれる指示情報を入力する。ＣＰＵ２７は受光制御回路２５から指示情報を取得し、画像投影装置１が通常表示モードか、再表示モード（多数決表示モードも含む）であるか否かを判定する（ステップＳ７０）。ＣＰＵ２７は、画像投影装置１が通常表示モードではないと判定したときは（ステップＳ７０のＹＥＳ）、画像投影装置１が多数決モードであるか否かを判定する（ステップＳ７１）。ＣＰＵ２７は、画像投影装置１が多数決モードであると判定したときは（ステップＳ７１のＹＥＳ）、第１メモリ２１のテーブル領域２２から多数決用に作成したブックマーク登録回数テーブルを削除する処理を行う（ステップＳ７２）。ＣＰＵ２７は、画像処理部１８が入力している原画像データのソースを、通常入力するソースへ切り替える処理を実行する（ステップＳ７３）。これにより、画像投影装置は、通常の投影状態に復帰する。
【００８４】
ＣＰＵ２７が、画像投影装置１が通常表示モード以外であると判定したときは（ステップＳ７０のＮＯ）、処理を終了する。ＣＰＵ２７が、画像投影装置１が多数決モードではないと判定したときは（ステップＳ７１のＮＯ）、ステップＳ７３に進み、画像処理部１８の原画像データの入力ソースを通常の入力ソースに切り替える処理を行う(ステップＳ７３)。
【００８５】
＜リモコン装置のフローチャート＞
図１８は、遠隔操作手段３であるリモコン装置の処理を表すフローチャート図である。リモコン装置３ａの電源を入力すると、制御部５３のＣＰＵは、ＲＯＭ５６から基本プログラムを読み出してＲＡＭ５５に記憶し、基本プログラムを実行する。ＣＰＵ５４は、キーパネル制御回路５２からの押下信号を取得して、キーパネル５０いずれかのボタンが押下されたか否かを検出する（ステップＳ８０）。ＣＰＵ５４が、キーパネル５０のいずれかのボタンが押下されたことをキーパネル制御回路５２から検出したときは（ステップＳ８０のＹＥＳ）、ＣＰＵ５４は、当該押下信号がブックマーク指示であるか否かを判定する（ステップＳ８１）。ＣＵＰ５４がブックマーク指示であると判定したときは（ステップＳ８１のＹＥＳ）、ＣＰＵ５４は、赤外線制御回路５１に対して、ＲＯＭ５６から当該リモコン装置５ａの識別ＩＤを読み出して赤外線制御回路５１と、ブックマーク登録／削除指示の信号を出力、赤外線制御回路５１は赤外線発光部５７から当該信号を付与した赤外線を送信する（ステップＳ８２）。ＣＰＵ５４は、リモコン装置３ａの電源がＯＦＦされたか否かを判定し（ステップＳ８３）、電源がＯＦＦされていないと判定したときは（ステップＳ８３のＮＯ）、ステップＳ８０へ戻り、電源がＯＦＦされたと判定したときは（ステップＳ８３のＹＥＳ）、電源をＯＦＦして終了する。
【００８６】
ＣＰＵ５４が、キーパネル制御回路５２から入力した押下信号が、ブックマーク指示でないと判定したときは（ステップＳ８１のＮＯ）、当該押下信号が再表示モード指示であるか否かを判定する（ステップＳ８４）。ＣＰＵ５４が、当該押下信号が再表示モード指示であると判定したときは（ステップＳ８４のＹＥＳ）、ＣＰＵ５４は、ＲＯＭ５６からリモコン装置３ａの識別ＩＤを読み出して赤外線制御回路５１に出力し、また、表示モード指示を赤外線制御回路５１に出力する。赤外線制御回路５１は、赤外線発光部５７からこれらの信号を赤外線により送信する(ステップＳ８５)。
【００８７】
ＣＰＵ５４が、当該押下信号が再表示モード指示ではないと判定したときは（ステップＳ８４のＮＯ）、ＣＰＵ５４は当該押下信号が多数決モード指示であるか否かを判定する（ステップＳ８６）。ＣＰＵ５４が、当該押下信号が多数決モード指示であると判定したときは（ステップＳ８６のＹＥＳ）、ＣＰＵ５４は赤外線制御回路５１に当該多数決表示指示を出力し、赤外線制御回路５１は当該指示を赤外線発光部５７から赤外線により送信する（ステップＳ８７）。
【００８８】
ＣＰＵ５４が、当該押下信号が多数決モード指示ではないと判定したときは（ステップＳ８６のＮＯ）、当該押下指示が、上記以外のボタンが押下された他の指示であるか否かを判定する（ステップＳ８８）。ＣＰＵ５４が、当該押下信号がその他の指示であると判定したときは（ステップＳ８８のＹＥＳ）、ＣＰＵ５４はその他の指示を赤外線制御回路５１に送信し、赤外線制御回路５１は当該その他の指示を赤外線発光部５７から赤外線により送信する（ステップＳ８９）。ＣＰＵ５４が、当該押下信号がその他の指示ではないと判定したときは（ステップＳ８８のＮＯ）、ステップＳ８３に進む。
【図面の簡単な説明】
【００８９】
【図１】本発明の実施形態に係る画像投影システムの概念図である。
【図２】本発明の実施形態に係る画像投影装置のブロック図である。
【図３】本発明の実施形態に係るリモコン装置の外観図である。
【図４】本発明の実施形態に係るリモコン装置のブロック図である。
【図５】本発明の実施形態に係る画像投影装置のメモリ領域に記憶されるテーブルである。
【図６】本発明の実施形態に係る画像投影装置のブロック図である。
【図７】本発明の実施形態に係る画像投影装置のブロック図である。
【図８】本発明の実施形態に係る画像投影装置のフローチャート図である。
【図９】本発明の実施形態に係る画像投影装置のフローチャート図である。
【図１０】本発明の実施形態に係る画像投影装置のフローチャート図である。
【図１１】本発明の実施形態に係る画像投影装置のフローチャート図である。
【図１２】本発明の実施形態に係る画像投影装置のフローチャート図である。
【図１３】本発明の実施形態に係る画像投影装置のフローチャート図である。
【図１４】本発明の実施形態に係る画像投影装置のフローチャート図である。
【図１５】本発明の実施形態に係る画像投影装置のフローチャート図である。
【図１６】本発明の実施形態に係る画像投影装置のフローチャート図である。
【図１７】本発明の実施形態に係る画像投影装置のフローチャート図である。
【図１８】本発明の実施形態に係るリモコン装置のフローチャート図である。
【符号の説明】
【００９０】
１、６０、７０  画像投影装置
２  パーソナルコンピュータ
３  遠隔操作手段
４  投影スクリーン
５  赤外線
１０  ランプ駆動回路
１１  光源
１２  照明光学系
１３  液晶表示素子
１４  結像光学系
１５  ピント調節機構
１６  投影部
１７  映像信号処理回路
１８  画像処理部
１９  ＬＣＤ駆動回路
２０  フレームメモリ
２１  第１メモリ
２２  テーブル領域
２３  画像データ領域
２４  受光部
２５  受光制御回路
２６  制御部
２７  ＣＰＵ
２８  ＲＡＭ
２９  ＲＯＭ
３０  アプリケーション登録部
３９  バス
４５  カーソルボタン
４６  再表示モードボタン
４７  通常表示モードボタン
４８  多数決モードボタン
４９  ブックマーク指示ボタン
【図１】
2008083861.tif 000003
【図２】
2008083861.tif 000004
【図３】
2008083861.tif 000005
【図４】
2008083861.tif 000006
【図５】
2008083861.tif 000007
【図６】
2008083861.tif 000008
【図７】
2008083861.tif 000009
【図８】
2008083861.tif 000010
【図９】
2008083861.tif 000011
【図１０】
2008083861.tif 000012
【図１１】
2008083861.tif 000013
【図１２】
2008083861.tif 000014
【図１３】
2008083861.tif 000015
【図１４】
2008083861.tif 000016
【図１５】
2008083861.tif 000017
【図１６】
2008083861.tif 000018
【図１７】
2008083861.tif 000019
【図１８】
2008083861.tif 000020